(57)【要約】【課題】  システム管理者がドラッグ＆ドロップ操作により複数のクライアントに複数のプリンタドライバのインストール処理を、短時間で容易に行うことができるクライアントへのプリンタドライバインストール方法および装置および媒体の提供。【解決手段】  サーバがネットワークに接続されているクライアントを探索する手段と、サーバがネットワークに接続されているプリンタを探索する手段と、サーバの出力装置上に応答したクライアントとプリンタのリストを表示する手段と、サーバ管理者がプリンタリストからプリンタを選択する手段と、選択したプリンタをクライアントリストのクライアント上にドロップする手段と、サーバがプリンタリストで選択されたドライバをクライアントにインストールする手段とを備える。【選択図】        図２
2006163869.tif 000002
【特許請求の範囲】
【請求項１】
情報資源を集中管理するコンピュータ（以下、サーバ）とサーバの資源を利用するコンピュータ（クライアント）、さらにプリンタがそれぞれネットワークに接続されたクライアントサーバーシステム（以下、ＣＳＳ）において、サーバがネットワークに接続されているクライアントを探索する手段と、クライアントがサーバの呼びかけに応答する手段と、サーバが応答したクライアントのリストを作成する手段と、またサーバがネットワークに接続されているプリンタを探索する手段と、プリンタがサーバの呼びかけに応答する手段と、サーバが応答したプリンタのリストを作成する手段と、サーバの出力装置上に応答したクライアントとプリンタのリスト（以下、クライアントリスト、プリンタリスト）を対比して表示する手段と、サーバ管理者が出力装置に表示されているプリンタリストから１つのプリンタを選択する手段と、選択したプリンタをクライアントリストの１つのクライアント上にドロップする手段と、サーバがプリンタリストで選択されたプリンタのドライバをクライアントリストでドロップされたクライアントにネットワーク経由でインストールする手段を有することを特徴とするクライアントへのプリンタドライバインストール方法。
【請求項２】
前記、サーバ管理者が出力装置に表示されているプリンタリストから１つのプリンタを選択する手段において、サーバ管理者が出力装置に表示されているプリンタリストから複数のプリンタを選択する手段と、サーバがプリンタリストで選択された複数のプリンタのドライバをドロップしたクライアントリストで選択されたクライアントにネットワーク経由でインストールする手段をさらに具えたこと特徴とする請求項１記載のクライアントへのプリンタドライバインストール方法。
【請求項３】
前記、選択したプリンタをクライアントリストの１つのクライアント上にドロップする手段において、クライアントリストからあらかじめ複数のクライアントを選択しておき、選択したプリンタを複数のクライアントが選択されたクライアントリスト上にドロップする手段と、サーバがプリンタリストで選択されたプリンタのドライバをドロップしたクライアントリストで選択された複数のクライアントにネットワーク経由でインストールする手段をさらに具えたこと特徴とする請求項１記載のクライアントへのプリンタドライバインストール方法。
【請求項４】
前記、サーバ管理者が出力装置に表示されているプリンタリストから１つのプリンタを選択する手段と、選択したプリンタをクライアントリストの１つのクライアント上にドロップする手段において、サーバ管理者が出力装置に表示されているプリンタリストから複数のプリンタを選択する手段と、サーバがプリンタリストで選択された複数のプリンタのドライバをドロップしたクライアントリストで選択された複数のクライアントにネットワーク経由でインストールする手段をさらに具えたこと特徴とする請求項１記載のクライアントへのプリンタドライバインストール方法。
【請求項５】
ＣＳＳにおいて、サーバがネットワークに接続されているクライアントを探索する手段と、クライアントがサーバの呼びかけに応答する手段と、サーバが応答したクライアントのリストを作成する手段と、またサーバがネットワークに接続されているプリンタを探索する手段と、プリンタがサーバの呼びかけに応答する手段と、サーバが応答したプリンタのリストを作成する手段と、サーバの出力装置上に応答したクライアントリスト、プリンタリストを対比して表示する手段と、サーバ管理者が出力装置に表示されているクライアントリストから１つのクライアントを選択する手段と、選択したプリンタをプリンタリストの１つのプリンタ上にドロップする手段と、サーバがクライアントリストで選択されたクライアントにドロップされたプリンタリストで選択されたプリンタのドライバをネットワーク経由でインストールする手段を有することを特徴とするクライアントへのプリンタドライバインストール方法。
【請求項６】
前記、サーバ管理者が出力装置に表示されているクライアントリストから１つのクライアントを選択する手段において、サーバ管理者が出力装置に表示されているクライアントリストから複数のクライアントを選択する手段と、サーバがクライアントリストで選択された複数のクライアントにドロップしたクプリンタリストで選択されたプリンタのドライバをネットワーク経由でインストールする手段をさらに具えたこと特徴とする請求項５記載のクライアントへのプリンタドライバインストール方法。
【請求項７】
前記、選択したクライアントをプリンタリストの１つのプリンタ上にドロップする手段において、プリンタリストからあらかじめ複数のプリンタを選択しておき、選択したクライアントを複数のプリンタが選択されたプリンタリスト上にドロップする手段と、サーバがクライアントリストで選択されたクライアントに、ドロップしたプリンタリストで選択された複数のプリンタのドライバをネットワーク経由でインストールする手段をさらに具えたこと特徴とする請求項５記載のクライアントへのプリンタドライバインストール方法。
【請求項８】
前記、サーバ管理者が出力装置に表示されているクライアントリストから１つのクライアントを選択する手段と、選択したクライアントをプリンタリストの１つのプリンタ上にドロップする手段において、サーバ管理者が出力装置に表示されているクライアントリストから複数のクライアントを選択する手段と、サーバがクライアントリストで選択された複数のクライアントにドロップしたプリンタリストで選択された複数のプリンタのドライバをネットワーク経由でインストールする手段をさらに具えたこと特徴とする請求項５記載のクライアントへのプリンタドライバインストール方法。
【請求項９】
ＣＳＳにおいて、サーバがネットワークに接続されているクライアントを探索する手段と、クライアントがサーバの呼びかけに応答する手段と、サーバが応答したクライアントのリストを作成する手段と、またサーバがネットワークに接続されているプリンタを探索する手段と、プリンタがサーバの呼びかけに応答する手段と、サーバが応答したプリンタのリストを作成する手段と、サーバの出力装置上に応答したクライアントリスト、プリンタリストを対比して表示する手段と、サーバ管理者が出力装置に表示されているプリンタリストから１つのプリンタを選択する手段と、選択したプリンタをクライアントリストの１つのクライアント上にドロップする手段と、サーバがプリンタリストで選択されたプリンタのドライバをクライアントリストでドロップされたクライアントにネットワーク経由でインストールする手段を有することを特徴とするインストールプログラムを記録した媒体。
【請求項１０】
前記、サーバ管理者が出力装置に表示されているプリンタリストから１つのプリンタを選択する手段において、サーバ管理者が出力装置に表示されているプリンタリストから複数のプリンタを選択する手段と、サーバがプリンタリストで選択された複数のプリンタのドライバをドロップしたクライアントリストで選択されたクライアントにネットワーク経由でインストールする手段をさらに具えたこと特徴とする請求項９記載のインストールプログラムを記録した媒体。
【請求項１１】
前記、選択したプリンタをクライアントリストの１つのクライアント上にドロップする手段において、クライアントリストからあらかじめ複数のクライアントを選択しておき、選択したプリンタを複数のクライアントが選択されたクライアントリスト上にドロップする手段と、サーバがプリンタリストで選択されたプリンタのドライバをドロップしたクライアントリストで選択された複数のクライアントにネットワーク経由でインストールする手段をさらに具えたこと特徴とする請求項９記載のインストールプログラムを記録した媒体。
【請求項１２】
前記、サーバ管理者が出力装置に表示されているプリンタリストから１つのプリンタを選択する手段と、選択したプリンタをクライアントリストの１つのクライアント上にドロップする手段において、サーバ管理者が出力装置に表示されているプリンタリストから複数のプリンタを選択する手段と、サーバがプリンタリストで選択された複数のプリンタのドライバをドロップしたクライアントリストで選択された複数のクライアントにネットワーク経由でインストールする手段をさらに具えたこと特徴とする請求項９記載のインストールプログラムを記録した媒体。
【請求項１３】
ＣＳＳにおいて、サーバがネットワークに接続されているクライアントを探索する手段と、クライアントがサーバの呼びかけに応答する手段と、サーバが応答したクライアントのリストを作成する手段と、またサーバがネットワークに接続されているプリンタを探索する手段と、プリンタがサーバの呼びかけに応答する手段と、サーバが応答したプリンタのリストを作成する手段と、サーバの出力装置上に応答したクライアントリスト、プリンタリストを対比して表示する手段と、サーバ管理者が出力装置に表示されているクライアントリストから１つのクライアントを選択する手段と、選択したプリンタをプリンタリストの１つのプリンタ上にドロップする手段と、サーバがクライアントリストで選択されたクライアントにドロップされたプリンタリストで選択されたプリンタのドライバをネットワーク経由でインストールする手段を有することを特徴とするインストールプログラムを記録した媒体。
【請求項１４】
前記、サーバ管理者が出力装置に表示されているクライアントリストから１つのクライアントを選択する手段において、サーバ管理者が出力装置に表示されているクライアントリストから複数のクライアントを選択する手段と、サーバがクライアントリストで選択された複数のクライアントにドロップしたクプリンタリストで選択されたプリンタのドライバをネットワーク経由でインストールする手段をさらに具えたこと特徴とする請求項１３記載のインストールプログラムを記録した媒体。
【請求項１５】
前記、選択したクライアントをプリンタリストの１つのプリンタ上にドロップする手段において、プリンタリストからあらかじめ複数のプリンタを選択しておき、選択したクライアントを複数のプリンタが選択されたプリンタリスト上にドロップする手段と、サーバがクライアントリストで選択されたクライアントに、ドロップしたプリンタリストで選択された複数のプリンタのドライバをネットワーク経由でインストールする手段をさらに具えたこと特徴とする請求項１３記載のインストールプログラムを記録した媒体。
【請求項１６】
前記、サーバ管理者が出力装置に表示されているクライアントリストから１つのクライアントを選択する手段と、選択したクライアントをプリンタリストの１つのプリンタ上にドロップする手段において、サーバ管理者が出力装置に表示されているクライアントリストから複数のクライアントを選択する手段と、サーバがクライアントリストで選択された複数のクライアントにドロップしたプリンタリストで選択された複数のプリンタのドライバをネットワーク経由でインストールする手段をさらに具えたこと特徴とする請求項１３記載のインストールプログラムを記録した媒体。
【請求項１７】
情報資源を集中管理するコンピュータ（以下、サーバ）とサーバの資源を利用するコンピュータ（クライアント）、さらにプリンタがそれぞれネットワークに接続されたクライアントサーバーシステム（以下、ＣＳＳ）において、サーバがネットワークに接続されているクライアントを探索する手段と、クライアントがサーバの呼びかけに応答する手段と、サーバが応答したクライアントのリストを作成する手段と、またサーバがネットワークに接続されているプリンタを探索する手段と、プリンタがサーバの呼びかけに応答する手段と、サーバが応答したプリンタのリストを作成する手段と、サーバの出力装置上に応答したクライアントとプリンタのリスト（以下、クライアントリスト、プリンタリスト）を対比して表示する手段と、サーバ管理者が出力装置に表示されているプリンタリストから１つのプリンタを選択する手段と、選択したプリンタをクライアントリストの１つのクライアント上にドロップする手段と、サーバがプリンタリストで選択されたプリンタのドライバをクライアントリストでドロップされたクライアントにネットワーク経由でインストールする手段を有することを特徴とするクライアントへのプリンタドライバインストール装置。
【請求項１８】
前記、サーバ管理者が出力装置に表示されているプリンタリストから１つのプリンタを選択する手段において、サーバ管理者が出力装置に表示されているプリンタリストから複数のプリンタを選択する手段と、サーバがプリンタリストで選択された複数のプリンタのドライバをドロップしたクライアントリストで選択されたクライアントにネットワーク経由でインストールする手段をさらに具えたこと特徴とする請求項１７記載のクライアントへのプリンタドライバインストール装置。
【請求項１９】
前記、選択したプリンタをクライアントリストの１つのクライアント上にドロップする手段において、クライアントリストからあらかじめ複数のクライアントを選択しておき、選択したプリンタを複数のクライアントが選択されたクライアントリスト上にドロップする手段と、サーバがプリンタリストで選択されたプリンタのドライバをドロップしたクライアントリストで選択された複数のクライアントにネットワーク経由でインストールする手段をさらに具えたこと特徴とする請求項１７記載のクライアントへのプリンタドライバインストール装置。
【請求項２０】
前記、サーバ管理者が出力装置に表示されているプリンタリストから１つのプリンタを選択する手段と、選択したプリンタをクライアントリストの１つのクライアント上にドロップする手段において、サーバ管理者が出力装置に表示されているプリンタリストから複数のプリンタを選択する手段と、サーバがプリンタリストで選択された複数のプリンタのドライバをドロップしたクライアントリストで選択された複数のクライアントにネットワーク経由でインストールする手段をさらに具えたこと特徴とする請求項１７記載のクライアントへのプリンタドライバインストール装置。
【請求項２１】
ＣＳＳにおいて、サーバがネットワークに接続されているクライアントを探索する手段と、クライアントがサーバの呼びかけに応答する手段と、サーバが応答したクライアントのリストを作成する手段と、またサーバがネットワークに接続されているプリンタを探索する手段と、プリンタがサーバの呼びかけに応答する手段と、サーバが応答したプリンタのリストを作成する手段と、サーバの出力装置上に応答したクライアントリスト、プリンタリストを対比して表示する手段と、サーバ管理者が出力装置に表示されているクライアントリストから１つのクライアントを選択する手段と、選択したプリンタをプリンタリストの１つのプリンタ上にドロップする手段と、サーバがクライアントリストで選択されたクライアントにドロップされたプリンタリストで選択されたプリンタのドライバをネットワーク経由でインストールする手段を有することを特徴とするクライアントへのプリンタドライバインストール装置。
【請求項２２】
前記、サーバ管理者が出力装置に表示されているクライアントリストから１つのクライアントを選択する手段において、サーバ管理者が出力装置に表示されているクライアントリストから複数のクライアントを選択する手段と、サーバがクライアントリストで選択された複数のクライアントにドロップしたクプリンタリストで選択されたプリンタのドライバをネットワーク経由でインストールする手段をさらに具えたこと特徴とする請求項２１記載のクライアントへのプリンタドライバインストール装置。
【請求項２３】
前記、選択したクライアントをプリンタリストの１つのプリンタ上にドロップする手段において、プリンタリストからあらかじめ複数のプリンタを選択しておき、選択したクライアントを複数のプリンタが選択されたプリンタリスト上にドロップする手段と、サーバがクライアントリストで選択されたクライアントに、ドロップしたプリンタリストで選択された複数のプリンタのドライバをネットワーク経由でインストールする手段をさらに具えたこと特徴とする請求項２１記載のクライアントへのプリンタドライバインストール装置。
【請求項２４】
前記、サーバ管理者が出力装置に表示されているクライアントリストから１つのクライアントを選択する手段と、選択したクライアントをプリンタリストの１つのプリンタ上にドロップする手段において、サーバ管理者が出力装置に表示されているクライアントリストから複数のクライアントを選択する手段と、サーバがクライアントリストで選択された複数のクライアントにドロップしたプリンタリストで選択された複数のプリンタのドライバをネットワーク経由でインストールする手段をさらに具えたこと特徴とする請求項２１記載のクライアントへのプリンタドライバインストール装置。
【発明の詳細な説明】
【技術分野】
【０００１】
本発明は、パーソナルコンピュータなどを使用したＣＳＳおけるクライアントへのプリンタドライバインストール方法および装置および媒体に関するものである。
【背景技術】
【０００２】
従来、クライアントへのプリンタドライバのインストールは、システム管理者がクライアントに対して個別に行うか、もしくは、クライアントからネットワークを経由してサーバにあるインストールプログラムにアクセスして行われていた（特許文献１）。
【特許文献１】特開２００４−２５５７４５号公報
【発明の開示】
【発明が解決しようとする課題】
【０００３】
従来の、クライアントへのプリンタドライバのインストールでは、システム管理者がクライアントに対して個別に行うか、もしくはクライアントからネットワークを経由してサーバにあるインストールプログラムにアクセスして行われていたため、システム管理者においては作業量が膨大になり、すべてのクライアントに対するインストール処理を終了するまでには、多くの時間を費やしてしまう。また、クライアントオペレータによるネットワーク経由のインストールにおいては、クライアントオペレータがシステム管理者に比べシステムに精通していないために、インストールミスが発生し、結果として、インストールが終了し、システムが完全に可動するまでには多くの時間を費やしてしまうという欠点があった。
【課題を解決するための手段】
【０００４】
本発明であるクライアントへのプリンタドライバインストール方法および装置および媒体では、サーバとクライアント、さらにプリンタがそれぞれネットワークに接続されたＣＳＳにおいて、サーバがネットワークに接続されているクライアントを探索する手段と、クライアントがサーバの呼びかけに応答する手段と、サーバが応答したクライアントのリストを作成する手段と、またサーバがネットワークに接続されているプリンタを探索する手段と、プリンタがサーバの呼びかけに応答する手段と、サーバが応答したプリンタのリストを作成する手段と、サーバの出力装置上に応答したクライアントとプリンタのリストを対比して表示する手段と、サーバ管理者が出力装置に表示されているプリンタリストから１つのプリンタを選択する手段と、選択したプリンタをクライアントリストの１つのクライアント上にドロップする手段と、サーバがプリンタリストで選択されたプリンタのドライバをクライアントリストでドロップされたクライアントにネットワーク経由でインストールする手段とを備える。
【０００５】
この発明による作用として、システム管理者がドラッグ＆ドロップ操作により複数のクライアントに複数のプリンタドライバのインストール処理を、短時間で容易に行うことができる。結果としてシステム管理者の作業量を軽減し、システムを短時間で容易に可動させることができる。
【発明の効果】
【０００６】
この発明による作用として、システム管理者がドラッグ＆ドロップ操作により複数のクライアントに複数のプリンタドライバのインストール処理を、短時間で容易に行うことができる。結果としてシステム管理者の作業量を軽減し、システムを短時間で容易に可動させることができる。
【発明を実施するための最良の形態】
【０００７】
以下本発明を実施するための最良の形態を、実施例により詳しく説明する。
【実施例】
【０００８】
以下画面を参照して本発明に係る一実施例を詳細に説明する。
【０００９】
図１は本実施例のクライアントへのプリンタドライバインストール方法が適用されるＣＳＳの構成の一例を示す図である。ここでは、ハードウエア資源としてプリンタとアプリケーションソフトやデバイスドライバ、データベースなどの情報資源を集中管理するサーバ、サーバの管理する資源を利用するクライアントが複数台、ＬＡＮによって接続されている。なお、ネットワークの接続形態は、距離や有線、無線に関わらず、ＣＳＳのすべてのネットワーク形態を含むものとする。
【００１０】
図２は本実施例のサーバおよびクライアントの構成の一例を示すブロック図である。
【００１１】
図２において、１は中央処理装置で、上記プログラムおよび関連データが記憶されているＦＤ，ＣＤ−ＲＯＭ，ＩＣメモリカード等の記憶媒体をシステムに接続された媒体読取装置６から読み込み、補助記憶装置３から主記憶装置２にロードされたＯＳやワープロや表計算といったアプリケーションソフトウエア（以下、アプリケーション）によって、入力装置４から入力される情報を処理して、ディスプレイなどの出力装置５に出力する。また、入力装置４はキーボード、ポインティングデバイス等で構成されているものとする。さらに補助記憶装置３は、ハードディスク、光磁気ディスクで構成されるものであってもいいし、これらの組み合わせで構成されるものであってもよい。
【００１２】
図３は媒体読取装置記憶装置に格納されていたクライアントへのプリンタドライバインストール方法制御プログラム（以下、インストール方法制御プログラム）と関連するデータがサーバの中央処理演算装置に読み込まれ、サーバが保持しているプリンタドライバをクライアントにインストールしたときの概念図をあらわす。サーバのインストール方法制御プログラムは複数のプリンタドライバを管理しており、またクライアントにはサーバからインストールされたプリンタドライバがプリンタアプリケーションとともにＯＳの制御下で機能する。サーバに接続されているプリンタはネットワーク経由の接続でもサーバのポートに直接接続してもよい。クライアントに接続されているプリンタはネットワーク経由で接続されているものとする。
【００１３】
図４は、このクライアントへのプリンタドライバインストール方法の操作を示した図である。
【００１４】
図４Ａは、左側のプリンタリストから１つのプリンタを選択した状態を示している。この選択したプリンタを右側のクライアントリストのいずれかのクライアントＰＣにドラッグ＆ドロップすることによって、プリンタリストから選択したプリンタのドライバがドラッグ＆ドロップしたクライアントＰＣにインストールされることになる。
【００１５】
図４Ｂでは、ＣｌｉｅｎｔＰＣ  Ｎｏ．０００４にドラッグ＆ドロップした状態を示しており、この結果としてＬＡＳＥＲ  ＳＨＯＴ  ＬＢＰ−８５０のプリンタドライバがサーバからＣｌｉｅｎｔＰＣ  Ｎｏ．０００４にインストールされることになる。ここではプリンタリストからクライアントリストへのドラッグ＆ドロップを例に示したが、クライアントリストからプリンタリストへのドラッグ＆ドロップでもその操作は有効である。
【００１６】
図４Ｃは、クライアントリストから複数のクライアントを選択し、プリンタリストから１つのプリンタを選択した状態を示している。この状態で選択されているＬＡＳＥＲ  ＳＨＯＴ  ＬＢＰ−８５０をクライアントリストにドラッグ＆ドロップするとＣｌｉｅｎｔＰＣ  Ｎｏ．０００２，Ｎｏ．０００４，Ｎｏ  ０００６のＰＣにＬＡＳＥＲ  ＳＨＯＴ  ＬＢＰ−８５０のプリンタドライバがサーバからインストールされることになる。図４Ａ、図４Ｂ同様、クライアントリストからプリンタリストにドラッグ＆ドロップすることによっても同様の結果を得ることができる。
【００１７】
図４Ｄは、プリンタリストから複数のプリンタを選択し、クライアントリストから１つのクライアントを選択した状態を示している。この状態で選択されているＬＡＳＥＲ  ＳＨＯＴ  ＬＢＰ−８５０，ｉＲ２２００−３３００，ｉＲ８５００をクライアントリストにドラッグ＆ドロップするとＣｌｉｅｎｔＰＣ  Ｎｏ．０００２にＬＡＳＥＲ  ＳＨＯＴ  ＬＢＰ−８５０，ｉＲ２２００−３３００，ｉＲ８５００のプリンタドライバがサーバからインストールされることになる。図４Ａ、図４Ｂ同様、クライアントリストからプリンタリストにドラッグ＆ドロップすることによっても同様の結果を得ることができる。
【００１８】
図４Ｅは、プリンタリストから複数のプリンタを、クライアントリストから複数のクライアント選択を選択した状態を示している。この状態で選択されているプリンタをクライアントリストにドラッグ＆ドロップすると、ＬＡＳＥＲ  ＳＨＯＴ  ＬＢＰ−８５０，ｉＲ２２００−３３００，ｉＲ８５００のプリンタドライバがＣｌｉｅｎｔＰＣ  Ｎｏ．０００２，Ｎｏ．０００４，Ｎｏ  ０００６それぞれにインストールされることになる。クライアントリストからプリンタリストにドラッグ＆ドロップすることによっても同様の結果を得ることができる。
【００１９】
図５は、このインストール方法制御プログラムおよび関連データがＦＤを介してホストコンピュータにロードする状態を示している。このＦＤを媒体読取装置にセットすると、主記憶装置に読み込まれているＯＳおよび基本Ｉ／Ｏプログラムの制御の基に本インストール方法制御プログラムおよび関連データがＦＤから読み出され、主記憶装置にロードされたときに動作が可能となる。
【００２０】
図６は、本インストール方法制御プログラムがＦＤに格納されているメモリマップを示す。
【００２１】
図７は、ＦＤに格納されていたインストール方法制御プログラムが、媒体読取装置を介して、補助記憶装置から主記憶装置にロードされたときのメモリマップを示す。
【００２２】
本実施例では、ＦＤから本インストール方法制御プログラムを直接、補助記憶装置を介して主記憶装置に読み込んで実行する例を示したが、本インストール方法制御プログラムをＦＤなどの記憶媒体からＨＤなどの補助記憶装置にセーブしておき、実行するときに主記憶装置に読み込む形態をとってもよい。
【００２３】
また、本インストール方法制御プログラムを記録する媒体は、ＦＤ、ＨＤ以外にも、光磁気ディスクやＣＤ−ＲＯＭ、ＩＣメモリカード等であってもよい。また、本インストール方法制御プログラムをＲＯＭに記憶しておくことも可能である。
【００２４】
インストール方法は図８に示されるクライアントへのプリンタドライバインストール方法のフローチャートに基づいてプログラム化されたものである。
【００２５】
以下、図８のフローチャートを参照しながら本発明の請求項１の形態に係るインストール方法について説明する。
【００２６】
まず、図１に示されるＣＳＳにおいて、サーバにおける図２−４の入力装置からクライアントへのプリンタドライバインストール命令が入力されると、図２−３の補助記憶装置から図２−１の主記憶装置上に読み込まれたＯＳがそのメッセージを受け取る。ＯＳはインストール方法制御プログラムに実行メッセージを送る。
【００２７】
インストール方法制御プログラムはＯＳを介して、サーバがネットワークに接続されているクライアントを探索する（図８−１）、クライアントがサーバの呼びかけに応答する（図８−２）と、サーバが応答したクライアントのリストを作成する（図８−３）。またサーバがネットワークに接続されているプリンタを探索する（図８−４）と、プリンタがサーバの呼びかけに応答し（図８−５）、サーバが応答したプリンタのリストを作成する（図８−６）。サーバの出力装置（図２−５）上に応答したクライアントとプリンタのリスト（以下、クライアントリスト、プリンタリスト）を対比して表示する（図４）（図８−７）と、サーバ管理者が出力装置に表示されているプリンタリストから１つのプリンタを選択し（図４Ａ）（図８−８）、選択したプリンタをクライアントリストの１つのクライアント上にドロップする（図４Ｂ）（図８−９）と、サーバがプリンタリストで選択されたプリンタのドライバをクライアントリストでドロップされたクライアントにネットワーク経由でインストールする（図８−１０）（図３）クライアントへのプリンタドライバインストール方法及び装置。
【図面の簡単な説明】
【００２８】
【図１】本実施例のクライアントへのプリンタドライバインストール方法が適用されるＣＳＳの構成の一例を示すブロック図である。
【図２】本実施例のサーバおよびクライアントの構成の一例を示すブロック図である。
【図３】媒体読取装置記憶装置に格納されていたインストール方法制御プログラムと関連するデータがサーバの中央処理演算装置に読み込まれ、サーバが保持しているプリンタドライバをクライアントにインストールしたときの概念図をあらわす。
【図４Ａ】このクライアントへのプリンタドライバインストール方法の操作を示した図である。
【図４Ｂ】クライアントへのプリンタドライバインストール方法の操作を示した図である。
【図４Ｃ】クライアントへのプリンタドライバインストール方法の操作を示した図である。
【図４Ｄ】クライアントへのプリンタドライバインストール方法の操作を示した図である。
【図４Ｅ】クライアントへのプリンタドライバインストール方法の操作を示した図である。
【図５】このインストール方法制御プログラムおよび関連データがＦＤを介してコンピュータにロードする状態を示している。
【図６】本インストール方法制御プログラムがＦＤに格納されているメモリマップを示す。
【図７】ＦＤに格納されていたインストール方法制御プログラムが、媒体読取装置を介して、補助記憶装置から主記憶装置にロードされたときのメモリマップを示す。
【図８】本発明の請求項１の形態に係るクライアントへのプリンタドライバインストール方法の一実施例をあらわすフローチャートである。
【符号の説明】
【００２９】
１  中央処理装置
２  主記憶装置
３  補助記憶装置
４  入力装置
５  出力装置
６  媒体読取装置
７  ＲＯＭ
【図１】
2006163869.tif 000003
【図２】
2006163869.tif 000004
【図３】
2006163869.tif 000005
【図６】
2006163869.tif 000006
【図７】
2006163869.tif 000007
【図８】
2006163869.tif 000008
【図４Ａ】
2006163869.tif 000009
【図４Ｂ】
2006163869.tif 000010
【図４Ｃ】
2006163869.tif 000011
【図４Ｄ】
2006163869.tif 000012
【図４Ｅ】
2006163869.tif 000013
【図５】
2006163869.tif 000014